(57)【要約】【課題】解剖を行うに際し、解剖対象である解剖体から発生する有害ガスの拡散を防止することにより、作業者が健康を損なうことなく、解剖作業を安全に行うことができるようにした解剖台及び椅子装置、解剖のためのシステム、有害ガスの拡散防止方法を提供する。【解決手段】解剖台１は、解剖を行う処理部３１を本質的に密閉状態で覆うことができるカバー部材３ａ、３ｂを備えている。カバー部材３ａ、３ｂは、解剖時に折り畳んで収納することができる。カバー部材３ａ，３ｂで覆った内部のエアは、循環させながらエア浄化装置４で浄化処理することができる。椅子装置Ｂは、椅子２０と、書物等を載せる載置台１０と、載置台１０を支える支持部３０と、椅子２０と載置台１０を間接的に連結し、椅子２０と載置台１０間の距離を調整できる連結部４０を備えている。【選択図】　　　図９
2004000451.tif 000002
【特許請求の範囲】
【請求項１】
解剖を行う処理部（３１）を本質的に密閉状態で覆うことができるか、または解剖対象である解剖体（２）を外気と本質的に接触しないように覆うことができるカバー部材（３ａ，３ｂ）を備えていることを特徴とする、
解剖台。
【請求項２】
カバー部材（３ａ，３ｂ）は、解剖時に折り畳んで収納することができることを特徴とする、
請求項１記載の解剖台。
【請求項３】
カバー部材（３ａ，３ｂ）で覆った内部のエアを浄化する手段（４）、またはカバー部材（３ａ，３ｂ）で覆った内部の有害ガスを低減または取り除く手段（４）を備えていることを特徴とする、
請求項１または２記載の解剖台。
【請求項４】
解剖対象である解剖体（２）を置く解剖台本体（３）と、
該解剖台本体（３）の周りに設けてあり、上記解剖体（２）を外気と本質的に接触しないように覆うことができる所要数のカバー部材（３ａ，３ｂ）と、
該カバー部材（３ａ，３ｂ）で覆った内部のエアを浄化する手段（４）、またはカバー部材（３ａ，３ｂ）で覆った内部の有害ガスを低減または取り除く手段（４）と、
を備えており、
上記各カバー部材（３ａ，３ｂ）は、上記解剖台本体（３）の上下方向に回動可能であり、カバー部材（３ａ，３ｂ）を解剖台本体（３）の上部側に回動させることにより、解剖体（２）を外気と本質的に接触しないように覆うことができ、カバー部材（３ａ，３ｂ）を解剖台本体（３）の下部側に回動させることにより、カバー部材（３ａ，３ｂ）を収納できるように構成されていることを特徴とする、
解剖台。
【請求項５】
解剖台本体（３）の下部側に回動させたカバー部材（３ａ，３ｂ）を、解剖台本体（３）に固定することができる手段（７１，７２）を備えていることを特徴とする、
請求項４記載の解剖台。
【請求項６】
カバー部材（３ａ，３ｂ）で覆った内部のエアを循環させながら浄化するか、またはカバー部材（３ａ，３ｂ）で覆った内部の有害ガスを循環させながら低減または取り除くことができるようにしたことを特徴とする、
請求項１，２，３，４または５記載の解剖台。
【請求項７】
解剖作業を行うときに使用する椅子装置であって、
椅子（２０）と、
書物等を載せる載置台（１０）と、
該載置台（１０）を支える支持部（３０）と、
上記椅子（２０）と載置台（１０）を直接的または間接的に連結し、椅子（２０）と載置台（１０）間の距離を調整できる連結部（４０）と、
を備えていることを特徴とする、
椅子装置。
【請求項８】
解剖作業を行うときに使用する椅子装置であって、
椅子（２０）と、
書物等を載せる載置台（１０）と、
下端部にキャスター（５０）を備え、上記載置台（１０）を支える支柱（３０）と、
上記椅子（２０）と支柱（３０）を連結し、椅子（２０）と支柱（３０）間の距離を調整できる連結部（４０）と、
を備えていることを特徴とする、
椅子装置。
【請求項９】
載置台（１０）の角度と高さの調整ができる調整手段を有していることを特徴とする、
請求項７または８記載の椅子装置。
【請求項１０】
連結部（４０）は椅子（２０）を中心として周方向に回動可能に構成してあり、椅子（２０）に対する載置台（１０）の周方向における位置を変えることができるように構成されていることを特徴とする、
請求項７，８または９記載の椅子装置。
【請求項１１】
請求項１，２，３，４，５または６記載の解剖台（１）と、請求項７，８，９または１０記載の椅子装置（Ｂ）を組み合わせてなることを特徴とする、
解剖のためのシステム。
【請求項１２】
解剖対象である解剖体を外気と本質的に接触しないように覆い、覆った内部の有害ガスを低減または取り除くようにしたことを特徴とする、
有害ガスの拡散防止方法。
【発明の詳細な説明】
【０００１】
【発明の属する技術分野】
本発明は、解剖台及び椅子装置、解剖のためのシステム、有害ガスの拡散防止方法に関する。
更に詳しくは、解剖を行うに際し、解剖対象である解剖体から発生する有害ガスの拡散を防止することにより、作業者が健康を損なうことなく、解剖作業を安全に行うことができるようにした解剖台、解剖のためのシステム、有害ガスの拡散防止方法に関する。
また、書見台の機能を備えた椅子装置であって、解剖作業の邪魔にならず、しかも安定性を向上させ、転倒を防止したものに関する。
【０００２】
【従来技術】
医学生の解剖学実習の一つとして行われる系統解剖は、血管、神経、筋肉、臓器など全身各所を系統的にくまなく観察しながら行われる。通常、解剖学実習は講義と並行しながら、数ヶ月間という長期間にわたり継続して行われる。よって、遺体（死体、検体とも称される）は、解剖学実習が終わるまでの数ヶ月間、解剖台の上に載置した状態で保存される。
【０００３】
また通常、解剖学実習は実習用のテキストに従って、順次解剖し、観察していく。具体的には、解剖実習室内に解剖台が２０〜４０台程並べられ、各解剖台に載置された１遺体に対し、数人の医学生がグループを組んで解剖を進めていく。また、実習は長時間に及ぶため、解剖台の周りには解剖作業の邪魔にならないように、通常、背もたれのない丸椅子が置いてある。
【０００４】
更に、実習用のテキストは解剖作業の邪魔にならないように、通常、解剖台から離れた場所にある机の上にまとめて置いてあり、医学生は時おり解剖台を離れてそのテキストを見に行くようにしている。
【０００５】
【発明が解決しようとする課題】
ところで、その日の解剖学実習が終わった後、通常、遺体には乾燥を防ぐためにビニール製のカバーが掛けられる。しかしながら、遺体は完全に密閉した状態で保存されてはいないので、防腐剤として使用されるホルマリンが遺体から継続的に自然蒸発してしまう。このため、翌日にはホルマリンガスが実習室内に充満していることになる。
【０００６】
ホルマリンは、周知の通り、人体に対する毒性が相当強く、強いタンパク質凝固作用を有する。このため、皮膚や粘膜を侵し、ガスの吸入によっては咽頭炎や気管支炎などを引き起こす。
【０００７】
また近年、問題視されているシックハウス症候群の原因物質もこのホルマリンの成分であるホルムアルデヒドであり、学生の中にはこのホルマリンガスに過剰に反応してアレルギー反応を引き起こす者も少なくない。
更に、遺体から発生する有害物質はホルマリンだけではなく、遺体から拡散する細菌の空気感染等も問題である。
【０００８】
以上のような事情から、実習者が健康を損なうことなく、解剖学実習を安全に行うことができる実習環境の整備が望まれていた。
【０００９】
また上記したように、解剖作業中に実習用のテキストを確認することがあるが、テキストは解剖作業の邪魔にならないように、解剖台から離れた場所に置いてあるため、その都度、解剖台から離れて見に行く必要があり、医学生が解剖実習に集中にしくいという欠点があった。
【００１０】
そこで本発明者は、解剖台から離れてテキストを見に行く煩わしさをなくすために、解剖台用の書見台の開発に着手した。しかしながら、解剖作業は、解剖台を数人で取り囲みながら進めていくため、解剖台に書見台を直接取り付けることは解剖作業の邪魔になる。また、解剖台のあまり近くにテキストを置いておくと、体液や血液等が付着する恐れがあり、衛生的にも問題がある。
【００１１】
また、自立性を有する書見台を解剖台からやや離れた位置に配置することも考えられるが、解剖実習室では数十名あるいは百名以上の医学生が同時に実習を受けるため、解剖台の周りの限られたスペース内に書見台を配置すれば、接触等によって転倒する危険性もある。
【００１２】
よって本発明者は、解剖用の書見台について更に鋭意研究開発を重ねた結果、解剖台の周りに配置してある椅子に書見台の機能をもたせることで、書見台を解剖台から少し離して設置でき、解剖作業の邪魔にならず、しかも書見台の安定性を向上させ転倒を防止することができる新規な椅子装置の開発に成功し、本発明を完成した。
【００１３】
（発明の目的）
そこで本発明の目的は、解剖を行うに際し、解剖対象である解剖体から発生する有害ガスの拡散を防止することにより、作業者が健康を損なうことなく、解剖作業を安全に行うことができるようにした解剖台、それを使用した解剖のためのシステム及び有害ガスの拡散防止方法を提供することにある。
【００１４】
本発明の他の目的は、有害ガスの拡散を防止するカバー部材を解剖作業の邪魔にならないように収納することができる解剖台及びそれを使用した解剖のためのシステムを提供することにある。
【００１５】
本発明の他の目的は、書見台の機能を備えた椅子装置であって、解剖作業の邪魔にならず、しかも安定性を向上させ、転倒を防止した椅子装置及びそれを使用した解剖のためのシステムを提供することにある。
【００１６】
【課題を解決するための手段】
上記目的を達成するために講じた本発明の手段は次のとおりである。
第１の発明にあっては、
解剖を行う処理部を本質的に密閉状態で覆うことができるか、または解剖対象である解剖体を外気と本質的に接触しないように覆うことができるカバー部材を備えていることを特徴とする、
解剖台である。
【００１７】
第２の発明にあっては、
カバー部材は、解剖時に折り畳んで収納することができることを特徴とする、
第１の発明に係る解剖台である。
【００１８】
第３の発明にあっては、
カバー部材で覆った内部のエアを浄化する手段、またはカバー部材で覆った内部の有害ガスを低減または取り除く手段を備えていることを特徴とする、
第１または第２の発明に係る解剖台である。
【００１９】
第４の発明にあっては、
解剖対象である解剖体を置く解剖台本体と、
該解剖台本体の周りに設けてあり、上記解剖体を外気と本質的に接触しないように覆うことができる所要数のカバー部材と、
該カバー部材で覆った内部のエアを浄化する手段、またはカバー部材で覆った内部の有害ガスを低減または取り除く手段と、
を備えており、
上記各カバー部材は、上記解剖台本体の上下方向に回動可能であり、カバー部材を解剖台本体の上部側に回動させることにより、解剖体を外気と本質的に接触しないように覆うことができ、カバー部材を解剖台本体の下部側に回動させることにより、カバー部材を収納できるように構成されていることを特徴とする、
解剖台である。
【００２０】
第５の発明にあっては、
解剖台本体の下部側に回動させたカバー部材を、解剖台本体に固定することができる手段を備えていることを特徴とする、
第４の発明に係る解剖台である。
【００２１】
第６の発明にあっては、
カバー部材で覆った内部のエアを循環させながら浄化するか、またはカバー部材で覆った内部の有害ガスを循環させながら低減または取り除くことができるようにしたことを特徴とする、
第１，２，３，４または第５の発明に係る解剖台である。
【００２２】
第７の発明にあっては、
解剖作業を行うときに使用する椅子装置であって、
椅子と、
書物等を載せる載置台と、
該載置台を支える支持部と、
上記椅子と載置台を直接的または間接的に連結し、椅子と載置台間の距離を調整できる連結部と、
を備えていることを特徴とする、
椅子装置である。
【００２３】
第８の発明にあっては、
解剖作業を行うときに使用する椅子装置であって、
椅子と、
書物等を載せる載置台と、
下端部にキャスターを備え、上記載置台を支える支柱と、
上記椅子と支柱を連結し、椅子と支柱間の距離を調整できる連結部と、
を備えていることを特徴とする、
椅子装置である。
【００２４】
第９の発明にあっては、
載置台の角度と高さの調整ができる調整手段を有していることを特徴とする、
第７または第８の発明に係る椅子装置である。
【００２５】
第１０の発明にあっては、
連結部は椅子を中心として周方向に回動可能に構成してあり、椅子に対する載置台の周方向における位置を変えることができるように構成されていることを特徴とする、
第７，８または第９の発明に係る椅子装置である。
【００２６】
第１１の発明にあっては、
第１，２，３，４，５または第６の発明に係る解剖台と、第７，８，９または第１０の発明に係る椅子装置を組み合わせてなることを特徴とする、
解剖のためのシステムである。
【００２７】
第１２の発明にあっては、
解剖対象である解剖体を外気と本質的に接触しないように覆い、覆った内部の有害ガスを低減または取り除くようにしたことを特徴とする、
有害ガスの拡散防止方法である。
【００２８】
カバー部材は、解剖を行う処理部を本質的に密閉状態で覆うことができるが、この「密閉状態」とは、必ずしも厳密な意味での密閉の状態でなくても良く、カバー部材で覆った内部のエアが外気に漏れにくい状態であれば良い。
【００２９】
椅子装置の載置台に載せる物品としては、本等の書物に限らず、ノートやノートパソコン、あるいはメスやハサミ等の解剖用器具等を挙げることができるが、特にこれらに限定されない。
【００３０】
椅子装置において椅子と載置台は、連結部によって直接的に連結されても良く、間接的に連結されていても良い。
なお、間接的に連結する場合は、連結部の一端側を椅子に連結し、他端側を載置台を支える支持部に連結することができる。
【００３１】
（作　用）
本発明に係る解剖台の作用を説明する。
解剖体を解剖台本体に置いた状態にしておく場合は、解剖台本体に設けてあるカバー部材を解剖台本体の上部側に回動し、解剖体を外気と本質的に接触しないように覆う。これにより、解剖体から発生するホルマリンガス等の有害ガスの拡散（蒸発）を抑え、また解剖体から拡散する細菌の空気感染を防止することができる。
【００３２】
またカバー部材で覆った内部のエアを浄化する手段、またはカバー部材で覆った内部の有害ガスを低減または取り除く手段を備えているものでは、解剖体から発生する有害ガスの拡散をより効果的に防止できる。
【００３３】
更に、解剖時には、解剖体を覆ったカバー部材を解剖台本体の下部側に回動して収納する。このように、カバー部材は解剖時に折り畳んで収納できるので、カバー部材が解剖作業の邪魔になることはない。
【００３４】
また更に、カバー部材で覆った内部のエアを循環させながら浄化するか、またはカバー部材で覆った内部の有害ガスを循環させながら低減または取り除くようにすれば、内部のエアまたは有害ガスを一度ではなく繰り返し循環させながら浄化させることで、有害ガスを安全なレベルまで確実に浄化させることができる。したがって、実際にカバー部材を開いて解剖作業を始めても、作業者が短時間に多量の有害ガスを吸い込む恐れはない。
【００３５】
次に、本発明に係る椅子装置の作用を説明する。
椅子装置は、通常、普通の椅子と同様、解剖作業の邪魔にならないように解剖台から少し離して設置する。したがって、載置台を解剖台に直接設置する場合と異なり、解剖作業の邪魔になりにくく、解剖作業を安全に行うことができる。
【００３６】
書物等を載せる載置台は連結部によって椅子と直接的または間接的に連結しており、椅子と載置台間の距離を調整できるようになっているので、解剖作業の邪魔にならない最適な位置に載置台を移動させることができる。
【００３７】
載置台は安定性を向上させるため、支持部によって支えられている。しかも、上記したように、載置台は連結部によって椅子に直接的または間接的に連結されているので、多少の外力を受けたとしても載置台が倒れるような恐れはない。
【００３８】
支柱により載置台を支えるようにしているものは、作業者が足を引っかけるような余計な部材は設けられてないので、安全性が高い。また、支柱の下端部にはキャスターが設けられているので、軽い操作力で簡単に支柱の位置、つまり、椅子に対する載置台の位置を変えることができる。
【００３９】
載置台の角度と高さの調整ができる調整手段を有しているものは、載置した書物等を見やすい位置に調整できる。
【００４０】
連結部が椅子を中心として周方向に回動可能に構成してあり、椅子に対する載置台の周方向における位置を変えることができるように構成されているものは、椅子の位置を特に変えなくても、解剖作業の邪魔にならないように載置台を最適な位置に調整することができる。
【００４１】
【発明の実施の形態】
本発明を図面に示した実施の形態に基づき更に詳細に説明する。
＜解剖台＞
図１ないし図６は、本発明に係る解剖台の一実施の形態を示す説明図である。
図１は、カバー部材を閉じた状態の解剖台の正面視説明図、
図２は、カバー部材を開いた状態の解剖台の正面視説明図、
図３は、カバー部材を開いた状態の解剖台の平面視説明図で、閉じた状態のカバー部材を想像線（二点鎖線）で示している。
図４は図１で示す解剖台を右側から見た拡大説明図、
図５は図１で示す解剖台を左側から見た拡大説明図、
図６は図１におけるＩ−Ｉ部分に対応する断面を拡大した説明図である。
【００４２】
なお、本実施の形態に係る解剖台１は、主に医学生の解剖学実習用として開発されたものあるが、病理解剖や司法解剖にも使用できることは言うまでもない。
【００４３】
解剖台１によれば、解剖台１に載置した解剖対象である解剖体２（図２参照）を、図１に示すように、外気と本質的に接触しないよう各カバー部材３ａ，３ｂで覆うことができる。
更に、各カバー部材３ａ，３ｂで覆った内部のエア（有機ガスを含む空気）を循環させながら後述するエア浄化装置４で浄化処理することができる。
これにより、解剖体２から発生する有害ガスの拡散や解剖体２から拡散する細菌の空気感染等を防ぐことができる。
【００４４】
図１に示すように、解剖台１は、解剖体２を置く解剖台本体３と、解剖体２を解剖処理する場所である処理部３１を覆う各カバー部材３ａ，３ｂと、処理部３１内のエアを循環させながら浄化処理するエア浄化装置４とから主に構成されている。解剖台１は腐食防止のため、カバー部材３ａ，３ｂ以外の殆どはステンレス製となっている。なお、通常、解剖体２は頭部を図１の右側に向けて載置する。
以下、解剖台１の各構成部材について、順を追って詳しく説明する。
【００４５】
まず、解剖台本体３について説明する。
図１及び図４に示すように、解剖台本体３は、台部３２を支える所要数の脚部３３を備えている。本実施の形態では、脚部３３は台部３２の角部に合計四箇所設けてある。各脚部３３は、棒状の連結部３２２によって連結されている。
【００４６】
各脚部３３は、丸パイプ３３０と丸パイプ３３０内に収容することにより進退可能な脚体３３１を備えている。これにより、脚部３３の長さ、つまり台部３２の高さを適宜調整できるようになっている。この脚部３３の高さ調整機構は、周知の技術であるため、詳しい説明は省略する。なお、脚部３３の高さ調整機構については、各種の公知技術を採用することができる。
【００４７】
図３で台部３２の表面うち、解剖体２が置かれる部分は上記した処理部３１の一部を構成している。図３で左側に示す符号３２１は血液や体液を排出する排出口を示している。
【００４８】
図３に示すように、台部３２の周りには、外周部分（処理部３１を囲む外周部分）に沿ってエア吸引部５ａ，５ａ，５ｂとエア吹出部６が設けてある。
【００４９】
エア吸引部５ａ，５ａは、載置した解剖体２の両脇側（図３で上側及び下側）つまり、台部３２の長辺部に沿って合計二箇所に設けてある。エア吸引部５ａ，５ａは、図６に示す断面から分かるように、角筒状に形成されており、台部３２の長辺部に沿って向かい合うように配置されている。
【００５０】
エア吸引部５ｂは、載置した解剖体２の頭部側（図３で右側、台部３２の短辺側の一方）に設けられている。エア吸引部５ｂは内部が中空で、図１に示すように断面形状が台形状となっている。
【００５１】
エア吹出部６は、載置した解剖体２の足下側（図３で左側、台部３２の短辺側の他方）に設けられている。エア吹出部６は、上記したエア吸引部５ｂと同じか大体同じ形状（中空で断面台形状）に形成されている。
【００５２】
各カバー部材３ａ，３ｂで覆った内部（処理部３１）のエアは、エア吸引部５ａ，５ａ，５ｂ（後述する各吸引口５１ａ）から吸引され、後述する吸引経路を通って台部３２の下方（図１でやや左寄り）に設けてあるエア浄化装置４へ送られる。そして、エア浄化装置４によって浄化処理されたエアは、後述する送出経路を通ってエア吹出部６から再び処理部３１内へ送り返される。
【００５３】
図３に示すように、各エア吸引部５ａの上面部には、スリット状に形成された吸引口５１ａが所要間隔で多数設けられている。各吸引口５１ａは斜め上方に向けて設けてある
【００５４】
各エア吸引部５ａの吸引口５１ａは、スライド式（摺り合わせ式）の閉鎖板（図示省略）で開閉自在に構成されている。閉鎖板は、各エア吸引部５ａ毎に台部３２の長手方向に沿って三箇所設けてあり、それぞれの位置で吸引口５１ａを開閉できるようになっている。符号５２は、各閉鎖板をスライドさせる際に使用する摘みを示している。なお、この開閉機構は、周知の技術であるため、詳しい説明は省略する。
【００５５】
エア吸引部５ｂの外面部５３，５３，５３（図３参照）は、それぞれ外方に下り傾斜している。エア吸引部５ｂの内面側には、スリット状に形成された吸引口５１ｂが所要間隔で多数設けられている。各吸引口５１ｂは斜め上方に向けて設けてある。吸引口５１ｂも同様に、スライド式の閉鎖板（図示省略）で開閉自在に構成されている。符号５２は、閉鎖板をスライドさせる際に使用する摘みを示している。
【００５６】
図１に示すように、各エア吸引部５ａ及びエア吸引部５ｂは、断面方形状の吸引管８２（図１参照）と間接的に接続している。吸引管８２の一端部は、フレキシブルホース８１を介してエア浄化装置４と接続されている。
【００５７】
吸引管８２と各エア吸引部５ａは、図１に示すように、吸引管８２の一端部寄りの上部側に設けてある長方形状の連結管８２２（背面側の連結管８２２は隠れて見えず）によって間接的に繋がっている。
【００５８】
吸引管８２の他端側とエア吸引部５ｂは、エアダクト５０ｂを介して間接的に繋がっている。詳しくは、エア吸引部５ｂの下部側が、台部３２の短辺部（解剖体２の頭部側）に沿って設けてあるエアダクト５０ｂ（図４参照）と連通している。そして、図１及び図４に示すように、このエアダクト５０ｂと吸引管８２の他端部（図１で右端部）が方形状の連結口８２１（図４参照）によって繋がっている。
【００５９】
なお、エアダクト５０ｂ、吸引管８２及びフレキシブルホース８１により、エア吸引部５ａ，５ａ，５ｂからエア浄化装置４へエアが吸引される吸引経路が構成される。
【００６０】
エア吹出部６の外面部６２，６２，６２（図３参照）は、それぞれ外方に下り傾斜している。エア吹出部６の内面側には、スリット状に形成された吹出口６１が所要間隔で多数設けられている。各吹出口６１は斜め上方に向けて設けてある。吹出口６１も同様に、スライド式の閉鎖板（図示省略）で開閉自在に構成されている。符号６１１は、閉鎖板をスライドさせる際に使用する摘みを示している。
【００６１】
エア吹出部６の下部側は、エア吸引部５ｂと同様に、台部３２の短辺部（解剖体２の足元側）に沿って設けてあるエアダクト６０と連通している。そして、エアダクト６０は、図１及び図５に示すように、送出管９２，９２の一端部と接続されている。送出管９２，９２の他端部は、フレキシブルホース９１，９１を介してエア浄化装置４に接続されている。なお、フレキシブルホース９１，９１、送出管９２，９２、及びエアダクト６０により、エア浄化装置４からエア吹出部６にエアを送る送出経路が構成される。
【００６２】
次に、各カバー部材３ａ，３ｂについて説明する。
カバー部材３ａは、図１に示すように、台部３２の各長辺側にそれぞれ２箇所（合計で４箇所）設けてある。他方、カバー部材３ｂは、台部３２の各短辺側にそれぞれ１箇所ずつ（合計で２箇所）設けてある。各カバー部材３ａ，３ｂは、台部３２の長辺側及び短辺側（エア吸引部５ａ，５ａ，５ｂ及びエア吹出部６の外側）に全長にわたって固着されたヒンジ７，７，７，７によって、解剖台本体３に上下方向に回動自在に設けてある。
【００６３】
各カバー部材３ａ，３ｂは、板状で遮光性を有するプラスチックで形成されている。詳しくは、各カバー部材３ａ，３ｂは、ホルマリンガスに耐性を有し、耐衝撃性に優れたポリカーボネート製であるが、少なくともホルマリンガスに耐性を有する材料であれば、これに特に限定するものではない。
【００６４】
各カバー部材３ａ，３ｂは、図１及び図３（図３では想像線）に示すように、台部３２上方で組み合わせることによって、処理部３１を本質的に隙間なく覆うことができる形状となっている。即ち、長辺側の各カバー部材３ａは全体が台形状に形成され、カバー部材３ａ同士が接する側縁部は直線状に形成されている。また、短辺側のカバー部材３ｂ，３ｂは三角形に形成されている。
【００６５】
なお、本実施の形態では、台部３２の各長辺側に、２枚のカバー部材３ａ，３ａ（長辺側の両方を合わせて計４枚）が設けてあるが、２枚のカバー部材３ａ，３ａを一枚のカバー部材で形成することもできる。この場合、長辺側のカバー部材の数は合計で２枚となる。また、長辺側の一方（片側）に３枚または４枚以上のカバー部材を設けることもできる。
【００６６】
台部３２を挟んで向かい合う長辺側の各カバー部材３ａ，３ａは、外面の先部側に設けてある止め金具３４，３４（図１参照）によって固定される。
【００６７】
組まれた各カバー部材３ａ，３ｂは、図３の想像線に示すように、エア吹出部６及びエア吸引部５ｂの下方へ傾斜した各外面部６２，５３によって支えられ、内側に倒れない。なお、短辺側のカバー部材３ｂ，３ｂは、向かい合って組み合わされた長辺側のカバー部材３ａ，３ａの側縁部に嵌め込まれ、安定して固定される。
【００６８】
図１に示すように、各カバー部材３ａの外面側のうち、先部側の所要の位置（本実施の形態では先部側の角部）には、磁性体である鉄製の板体で形成された係合受部７１が固定されている。また図４に示すように、各カバー部材３ｂの外面側の先部側にも同様に、係合受部７１が固定されている。これに対し、図１に示すように、脚部３３，３３の連結部３２２の所要の位置には、上記係合受部７１と磁着する永久磁石７２が所要数設けてある。
【００６９】
即ち、図１に示す閉じた状態から止め金具３４，３４による固定を解除し、各カバー部材３ａ，３ｂを下に降ろすと（折り畳むと）、各カバー部材３ａ，３ｂの係合受部７１が永久磁石７２と磁着する。これにより、下に降ろしたカバー部材３ａ，３ｂは、解剖台本体３の内側に固定され、自重によって外側へ拡がることはない（垂直になることはない）。よって、カバー部材３ａ，３ｂが解剖作業を行う実習生（作業者）の邪魔にはならない。なお、符号７２１は、永久磁石７２を脚部３３に固定するための断面Ｌ字状のブラケットを示している。
【００７０】
更に、エア浄化装置４について説明する。
エア浄化装置４は、図１で台部３２下方のやや左寄りに位置し、脚部３３の連結部３２２に固定してある載置板（符号省略）上に固着して設けてある。なお、本実施の形態では、エア浄化装置４として、酸化チタンを用いた光触媒による脱臭装置（商品名「光触媒環境浄化装置」、盛和工業株式会社製）を使用しているが、特にこれに限定するものではない。
【００７１】
このエア浄化装置４に、エア吸引部５ａ，５ａ，５ｂから吸引経路を通って処理部３１内のエアがエア浄化装置４に送られる。エア浄化装置４に送られたエアは、光触媒によってホルマリンガス等の有害ガスが吸着、分解、脱臭される。その後、浄化処理されたエアは送出経路を通ってエア吹出部６から処理部３１内へ送り返される。
【００７２】
エア浄化装置４の側面の所要の位置には、開閉可能な排出口４１が設けてある。排出口４１の開閉により、エア浄化装置４に循環させるエアの量を調整することができる。即ち、排出口４１を閉じるとエアはエア浄化装置４を通って循環するようになっており、排出口４１を全開にすると、エアは循環せずに排出口４１から解剖台１の外（外気）へ排出される。
【００７３】
最後に、解剖台１を構成するその他の構成部材について説明する。
図１で点線で示すように、台部３２の底部３２０は、やや左側（解剖体２の足下側）に向けて下り傾斜している。これにより、図１で台部３２表面の排水口３２１から血液や体液等が自然流下によって排出される。排出された血液等は、フレキシブルホースで構成される排出ダクト３５を通って、台部３２下方のポット３６に納められる。なお、図１で、エア浄化装置４の右側に示す符号３７は、解剖時に切り離した骨等を一時的に保管する箱である。
【００７４】
（作　用）
図面を参照し、解剖台１の作用を、解剖学実習用として使用した場合を例にとって説明する。
【００７５】
通常、医学実習で行う解剖は数ヶ月と長期にわたるため、その日の解剖学実習が終わった後も、解剖台１に解剖体２を載置したまま保存しておく。解剖体２の保存は以下のようにして行う。
【００７６】
即ち、図１に示す各カバー部材３ａ，３ｂにより、解剖を行う処理部３１を本質的に密閉状態で覆う（解剖体２を外気と本質的に接触しないように覆う）。
【００７７】
まず図２に示す開いた状態から、長辺側の各カバー部材３ａを立ち上げ、図４に示すように、向かい合うカバー部材３ａ，３ａ同士を山形に組み、止め金具３４，３４で固定する。
【００７８】
次に、短辺側のカバー部材３ｂ，３ｂを同様に立ち上げ、山形に組まれた各カバー部材３ａの両側面側に立て掛け、固定する。上記したように、短辺側のカバー部材３ｂ，３ｂは、向かい合う長辺側のカバー部材３ａ，３ａの側縁部に嵌め込まれ、安定して固定される。
【００７９】
以上のようにして、解剖体２を外気と本質的に接触しないようにすることにより、解剖体２から発生するホルマリンガス等の有害ガスの拡散（蒸発）を抑え、解剖体２から拡散する細菌の空気感染を防止することができる。
【００８０】
更に解剖台１によれば、台部３２下方のエア浄化装置４により、各カバー部材３ａ，３ｂで覆った内部（処理部３１内）のエアを循環させながら浄化することができる。よって、実習開始前にエア浄化装置４を作動させておけば、実習開始時には、処理部３１内のホルマリンガスを減少または取り除いておくことができる。したがって、実際にカバー部材３ａ，３ｂを開いて実習を始めても、実習生が短時間に多量のホルマリンガスを吸い込む恐れはない。よって、実習生の健康に悪影響が及びにくく、長期間に及ぶ解剖学実習を安全に行うことができる。
【００８１】
更に、カバー部材３ａ，３ｂで覆った内部のエアは、循環しながらエア浄化装置４で繰り返し処理されるので、より確実な浄化が可能である。
【００８２】
エア浄化装置４は、タイマーによって自動的に作動するように構成しても良い。このようにすれば、実習が始まる前にエア浄化装置４を自動的に作動させ、実際に実習を行うまでに、処理部３１内のホルマリンガスを除去しておくことができる。
【００８３】
また実際に解剖を行う際は、止め金具３４，３４を外してカバー部材３ａ，３ａ，３ｂ，３ｂを降ろす。降ろす手順としては、まず、長辺側のカバー部材３ａ，３ａ，３ａ，３ａを降ろした後に、短辺側のカバー部材３ｂ，３ｂを順次降ろしていく。
【００８４】
降ろした各カバー部材３ａ，３ｂは、脚部３３の連結部３２２の所要の位置に設けてある永久磁石７２，…によって固定し、カバー部材３ａ，３ｂが外に拡がらないようにする。このように、カバー部材３ａ，３ｂを下方に折り畳んで収納することができるので、解剖作業中にカバー部材３ａ，３ｂが邪魔になることはない。
【００８５】
エア浄化装置４は解剖作業中に常時作動させておいても良いし、一定時間毎に作動させても良い。なお、エア浄化装置４側面の排出口４１の開き具合を調整することで、エア浄化装置４で浄化されたエアの一部または全部を室内へ排出することもできる。
【００８６】
その日の解剖学実習が終われば、再びカバー部材３ａ，３ｂで解剖体２を外気と本質的に接触しないように覆う。また解剖体２の乾燥を防ぐために、ビニール製のカバー等を解剖体２に直接掛けても良いし、カバー部材３ａ，３ｂの上からカバー等を間接的に掛けても良い。
【００８７】
また、図示はしていないが、各カバー部材３ａ，３ｂの開閉に便利な取手をカバー部材３ａ，３ｂの表裏面に取り付けることもできる。
【００８８】
更にカバー部材３ａ，３ｂで覆った後に、エア浄化装置４を所要時間作動させも良い。この場合、タイマーを用いれば、エア浄化装置４の作動を自動的に停止させることができる。
なお、解剖台１の使用対象は、ヒトに限らず動物であっても良いことは言うまでもない。
【００８９】
＜椅子装置＞
図７は本発明に係る椅子装置の一実施の形態を示す側面視説明図、
図８は椅子装置の平面視説明図、
図９は椅子装置の使用状態を示す説明図である。
【００９０】
なお、本実施の形態に係る椅子装置Ｂは、図１に示した解剖台１と同様、主に医学生の解剖学実習用として開発されたものあるが、病理解剖や司法解剖にも使用できることは言うまでもない。
【００９１】
図７に示す椅子装置Ｂは、図９に示すように、主に解剖台１の近くに配置して使用し、解剖学実習用のテキストＴ等の書物を板状の載置台１０に置いて読むことができるものである。
椅子装置Ｂは、解剖台１と組み合わせて解剖のためのシステムを構成する。
【００９２】
図７に示すように、椅子装置Ｂは、椅子２０と、書物等を載置する載置台１０を支える支柱３０と、椅子２０と支柱３０を連結し、椅子２０と支柱３０間の距離を調整できる連結部４０を備えている。
以下、椅子装置Ｂの各構成部材について順を追って詳しく説明する。
【００９３】
図７及び図８を参照する。
椅子２０は、平面視円形状の座部２１と、主にステンレス製の棒材を組み合わせて構成された脚部２２を備えている。
【００９４】
脚部２２は、平面視円形状で板状の基部２２１（以下、基板２２１という）と、軸足部２２２と、所要数の足部２２３（本実施の形態では五本）を備えている。軸足部２２２は、基板２２１の下面部中心から下方に延びて設けられている。各足部２２３は、基板２２１の内縁部から外方に拡がるように斜め下方に延びて設けられている。符号２２４は環状の足置き部を示している。
【００９５】
環状の足置き部２２４は、中心に向かってやや斜め下方に延びた所要数の足連結部２２５（本実施の形態では五本）によって、各足部２２３に固着して設けてある。足置き部２２４及び足連結部２２５によって、各足部２２３は互いに連結されている。足部２２３は足置き部２２４よりも内方（中央側）に位置し、作業者が足部２２３に足を引っかけないように工夫されている。
【００９６】
軸足部２２２は、そのデザイン上、基板２２１から下方に向けて径が二段階にすぼまるように形成されており、下部側の一番細い部分の径は足部２２３の径とほぼ同じ大きさとなっている。
【００９７】
座部２１は、軸部２２０によって軸足部２２２に回転自在に支持されており、座った後の身体の向きを変えられるようになっている。また、軸部２２０はねじ山を有し、座部２１を回転させることによって軸部２２０が上下動して、座部２１の高さを調整できるようになっている。
【００９８】
載置台１０を支える支柱３０は、主にステンレス製のパイプによって形成され、下端部に移動可能なキャスター５０を備えている。支柱３０は、ロッドアンテナのように先部側が入れ子式で伸縮自在となっており、載置台１０に載置した書物等の高さを調整できるようになっている。
【００９９】
詳しくは、下端部にキャスター５０を備えた支柱本体３０１の上部から入れ子式に支柱伸縮部３０２が挿設されている。支柱伸縮部３０２の周面部には、高さ方向に所要の間隔で凹部３０３，…が設けてあり、支柱本体３０１の上端側には凹部３０３，…に対応するボルト挿通孔（図では隠れて見えず）が設けてある。そして、支柱伸縮部３０２の凹部３０３と、支柱本体３０１のボルト挿通孔を合わせた状態で、ボルト３０４を備えた締付具３０５でねじ込んで締め付け、支柱伸縮部３０２を固定し高さを設定する。
【０１００】
この支柱３０の高さ調整機構は、特にこの構造に限定するものではなく、他の周知技術（例えばエアシリンダー等）を採用することができる。
【０１０１】
支柱３０（支柱伸縮部３０２）の上部側には、載置した書物等を見やすくできるように、載置台１０が支柱３０に対し傾斜可能に取り付けてある。載置台１０は平面視で長方形状であり、図７で傾斜下方側（図８で左端側）には、載置した書物等を下方から受ける棒状のストッパー１０１が板体の長辺部に沿って設けてある。
【０１０２】
載置台１０の角度調整機構は、以下の通りである。
支柱伸縮部３０２は上端部が直径方向へ扁平状に形成されており、載置台１０の下面部に設けてある半円形状の接合部１０２，１０２が上記扁平部３０２ａに傾斜可能に連結されている。接合部１０２，１０２は、載置台１０の下面部のほぼ中央に上記扁平部３０２ａを両側から挟むようにして並設されている。
【０１０３】
各接合部１０２には、図７に示すように、部分円弧状の溝部１０３が形成されている。この溝部１０３と扁平部３０２ａに蝶ボルト１０４が貫通して設けてある。蝶ボルト１０４のボルト先端部（図では隠れて見えず）は、図７で背面側の接合部１０２に設けてあるボルト孔（図では隠れて見えず）に螺合してある。そして、蝶ボルト１０４を指で回して締め付けることで、支柱伸縮部３０２に対する載置台１０の角度を固定できるようになっている。
【０１０４】
更に、上記したように、椅子２０と支柱３０は連結部４０によって連結され、椅子２０と支柱３０間の距離を調整できるようになっている。連結部４０は、アーム４０ａ，４０ｂ（本実施の形態で二本）を軸部４０１を介して接合することで構成されている。アーム４０ａ，４０ｂの水平方向のなす角は、ほぼ３６０度（実際には支柱３０が椅子２０と接触しない範囲内）で調整できるようになっている。
【０１０５】
したがって、アーム４０ａ，４０ｂの水平方向のなす角を変えることにより、椅子２０と支柱３０間の距離を一定の範囲で調整することができる。アーム４０ａ，４０ｂ間の接合構造は周知の技術であるため、詳しい説明は省略する。
【０１０６】
連結部４０（アーム４０ａ）の一端側は、筒状に形成された接合部４０２を介して座部２０の軸部２２０に嵌着されており、連結部４０は軸部２２０を中心として周方向に回動するようになっている。連結部４０（アーム４０ｂ）の他端側は、支柱３０のほぼ中間部分に溶接によって固着して設けてある。
【０１０７】
更に、連結部４０が軸部２２０を中心として周方向に回動する際に、アーム４０ａが脚部２２の基板２２１に接触しないように、アーム４０ａは基板２２１からやや離した状態で接合部４０２に固定されている。
【０１０８】
（作　用）
図９を参照して、椅子装置Ｂの作用を説明する。
なお、図９では、カバー部材３ａ，３ｂを有する解剖台１と組み合わせて使用した場合を例に挙げているが、特にこれに限定するものではなく、他の構造からなる解剖台と組み合わせて使用できることは言うまでもない。
【０１０９】
本実施の形態では、椅子装置Ｂを医学生の解剖学実習に使用した場合を例にとって説明する。
【０１１０】
図９に示すように、椅子装置Ｂを使用する場合は、解剖作業の邪魔にならないように、解剖台１から少し離して配置する。そして、載置台１０も同様、解剖作業の邪魔にならないように、解剖台１と椅子２０の間ではなく、図９に示すように解剖台１を正面として椅子２０の背面側、あるいは椅子２０の左右両側に配置する。
【０１１１】
支柱３０を連結する連結部４０は、椅子２０の軸部２２０を中心として周方向に回動し、しかも支柱３０にはキャスター５０が設けてある。よって、椅子２０に座って連結部４０を回動させれば、軽い操作力で簡単に、椅子２０に対する載置台１０の周方向における位置を変えることができる。
【０１１２】
しかも、連結部４０を曲げたり伸ばしたりして、椅子２０と支柱３０間の距離も一定の範囲で自由に調整できる。したがって、解剖作業の邪魔にならず、しかもテキストが見やすい最適な位置に載置台１０を移動させることができる。例えば図７に示す位置から図９に示す位置まで、支柱３０を椅子２０側に引き寄せれば、椅子装置Ｂが占有する床面積も小さくなり、解剖作業の邪魔になりにくい。
【０１１３】
そして、載置台１０上に例えば解剖実習用のテキストＴを開いた状態で置き、載置台１０の角度と高さを調整して、テキストＴが見やすいように調整する。例えば図９に示すような高さに調整すれば、座ってテキストＴを見ることは勿論のこと、解剖作業を行いながら立った状態でテキストＴを確認することができる。
【０１１４】
このように、椅子装置Ｂを使用し近くにおいておけば、従来と相違して、解剖台１から離れた机上にテキストＴを見に行く必要がなくなり、医学生は解剖実習に集中することができる。
【０１１５】
載置台１０は支柱３０によって接地面から支えられており、図８に示すように、載置台１０の下方には、載置台１０の枠内から外へ張り出すような足部材や支持部材などは設けられていない。即ち、医学生が載置台１０の横を通っても、足を引っかかるような部材はなく、安全性が高い。
【０１１６】
また、椅子２０の脚部２２を構成する足部２２３は、足置き部２２４よりも内方にあるため、医学生が足部２２３に足を引っかけるような恐れもない。
【０１１７】
また支柱３０は、連結部４０により椅子２０とやや距離を置いて設けられている。よって、支柱３０が倒れるためには、椅子２０も同時に倒すほどの外力が必要であるため、多少の外力を受けたとしても支柱３０が倒れるような恐れはない。しかも、支柱３０にはキャスター５０が設けてあるので、医学生が誤って載置台１０にぶつかっても、支柱３０が周方向に単に移動するだけで椅子２０は安定して立っており、結果的に支柱３０の転倒は防止される。
【０１１８】
なお、図１０に示すように、載置台１０を支える支柱３０を十字状に配置された四本の足部３０ａ（背面側の足部３０ａは隠れて見えず）で支持するような構造としても良いし、三本あるいは五本以上の足部３０ａで支える構造としても良い。図１０示す各足部３０ａには、キャスター５０がそれぞれ設けてある。
【０１１９】
また設計上、支柱３０が安定性に優れ、転倒する恐れがなければ、図１０に示すような椅子（支柱７０と十字状に配置された四本の足部７０ａを備えた椅子）を採用することもできる。更に図示はしていないが、椅子にキャスターを取り付けることもできるし、背もたれを設けることもできる。
なお、図７に示す椅子装置Ｂの支柱３０に図１０に示す足部３０ａを採用することもできるし、椅子装置Ｂの椅子２０に図１０に示す支柱７０と足部７０ａを採用することもできる。
【０１２０】
また図示はしていないが、連結部４０をＬ字状に形成して載置台１０と椅子２０を直接的に連結し、更に連結部４０と別途独立に支柱３０を設け、連結部４０と支柱３０との両方で載置台１０を支持するような構造を採用することもできる。
【０１２１】
以上説明したように、本実施の形態に係る解剖台１と椅子装置Ｂを使用すれば、解剖学実習に集中しながら安全に解剖作業を行うことができる。
【０１２２】
本明細書で使用している用語と表現はあくまで説明上のものであって、限定的なものではなく、上記用語、表現と等価の用語、表現を除外するものではない。また、本発明は図示の実施の形態に限定されるものではなく、技術思想の範囲内において種々の変形が可能である。
【０１２３】
【発明の効果】
本発明は上記構成を備え、次の効果を有する。
（ａ）本発明に係る解剖台によれば、カバー部材により、処理部を本質的に密閉状態で覆う（解剖体を外気と本質的に接触しないように覆う）ことにより、解剖体から発生する有害ガスの拡散を防止することができる。これにより、解剖を行うに際し、作業者が健康を損なうことなく、安全に解剖作業を行うことができる。
【０１２４】
（ｂ）解剖時にカバー部材を折り畳んで収納できるもの、または解剖台本体の下部側に回動させたカバー部材を、解剖台本体に固定することができる手段を備えているものでは、カバー部材が解剖作業の邪魔になることはないので、利便性が高い。
【０１２５】
（ｃ）カバー部材で覆った内部のエアを浄化する手段、またはカバー部材で覆った内部の有害ガスを低減または取り除く手段を備えているものでは、解剖体から発生する有害ガスの拡散をより効果的に防止でき、安全である。
【０１２６】
（ｄ）カバー部材で覆った内部のエアを循環させながら浄化するか、または内部の有害ガスを循環させながら低減または取り除くことができるものは、内部のエアまたは有害ガスを一度ではなく繰り返し循環させながら浄化させることで、有害ガスを安全なレベルまで確実に浄化させることができる。したがって、実際にカバー部材を開いて解剖作業を始めても、作業者が短時間に多量の有害ガスを吸い込む恐れはない。
【０１２７】
（ｅ）本発明に係る椅子装置によれば、書物等を載置する載置台を解剖台に設置するのではなく、解剖台と別途独立して配置される椅子に設けている。したがって、解剖台から少し離れた位置に載置台を配置することができる。よって、載置台を解剖台に直接設置する場合と異なり、解剖作業の邪魔になりにくい。また、椅子装置を例えば解剖学実習用として使用すれば、その都度、解剖台から離れて実習用のテキストを見に行く必要がなくなり、医学生は解剖実習に集中することができる。
更に、連結部によって、載置台は椅子と直接的または間接的に連結しており、椅子と載置台間の距離を調整できるようになっている。よって、解剖作業の邪魔にならない最適な位置に載置台を移動させることができるので、邪魔にならず、解剖作業を安全に行うことができる。
更に、安定性を向上させるため、載置台は支持部によって支えられている。しかも、上記したように、載置台は連結部によって椅子に連結されている。よって、支持部が倒れるためには、椅子も同時に倒すほどの外力が必要であるため、多少の外力を受けたとしても載置台が倒れるような恐れはない。
【０１２８】
（ｆ）支柱により載置台を支えるようにしているものは、作業者が足を引っかけるような余計な部材は設けられてないので、安全性が高い。また、支柱の下端部にはキャスターが設けられているので、軽い操作力で簡単に支柱の位置、つまり、椅子に対する載置台の位置を変えることができる。
【０１２９】
（ｇ）載置台の角度と高さの調整ができる調整手段を有しているものは、書物等を見やすい位置に調整できるので、利便性が高い。例えば、座った状態でも立った状態でも書物等を見ることができるように調整すれば、より集中して解剖作業を行うことができる。
【０１３０】
（ｈ）連結部が椅子を中心として周方向に回動し、椅子に対する載置台の周方向における位置を変えることができるようにしてあるものは、椅子の位置を特に変えなくても、解剖作業の邪魔にならないように載置台を最適な位置に調整することができる。更に支柱にキャスターが設けてある場合では、作業者が誤って載置台にぶつかっても、キャスターによって支柱が周方向に単に移動するだけで椅子は安定して立っており、結果的に支柱の転倒は防止される。
【０１３１】
（ｉ）本発明に係る解剖台と椅子装置を組み合わせてなる解剖のためのシステムでは、上記した効果により、解剖作業を安全に行うことができる。
【０１３２】
（ｊ）本発明に係る有害ガスの拡散防止方法によれば、解剖対象である解剖体を外気と本質的に接触しないように覆い、覆った内部の有害ガスを低減または取り除くことにより、解剖体から発生する有害ガスの拡散を防止することができる。これにより、解剖を行うに際し、作業者が健康を損なうことなく、安全に解剖作業を行うことができる。
【０１３３】
【図面の簡単な説明】
【図１】本発明に係る解剖台の一実施の形態を示しており、カバー部材を閉じた状態の解剖台の正面視説明図。
【図２】カバー部材を開いた状態の解剖台の正面視説明図。
【図３】カバー部材を開いた状態の解剖台の平面視説明図。
【図４】図１で示す解剖台を右側から見た拡大説明図。
【図５】図１で示す解剖台を左側から見た拡大説明図。
【図６】図１におけるＩ−Ｉ部分に対応する断面を拡大した説明図。
【図７】本発明に係る椅子装置の一実施の形態を示す側面視説明図。
【図８】椅子装置の平面視説明図。
【図９】椅子装置の使用状態を示す説明図
【図１０】本発明に係る椅子装置の他の実施の形態を示す側面視説明図。
【符号の説明】
１　解剖台
２　解剖体
３ａ　カバー部材
３ｂ　カバー部材
３　解剖台本体
４　エア浄化装置
５ａ，５ｂ　エア吸引部
６　エア吹出部
７　ヒンジ
３１　処理部
３２　台部
３３　脚部
３４　止め金具
３５　排出ダクト
３６　ポット
３７　箱
４１　排出口
５０ｂ　エアダクト
５１ａ，５１ｂ　吸引口
５２　摘み
６０　エアダクト
６１　吹出口
７１　係合受部
７２　永久磁石
８１　フレキシブルホース
８２　吸引管
６２，５３　外面部
９１　フレキシブルホース
９２　送出管
６２　外面部
３２０　底部
３２１　排水口
３３０　丸パイプ
３３１　脚体
３２２　連結部
６１１　摘み
７２１　ブラケット
８２１　連結口
８２２　連結管
Ｂ　椅子装置
Ｔ　テキスト
１０　載置台
２０　椅子
２０　座部
２１　座部
２２　脚部
３０　支柱
３０ａ　足部
４０　連結部
４０ａ，４０ｂ　アーム
５０　キャスター
７０　支柱
７０ａ　足部
１０１　ストッパー
１０２　接合部
１０３　溝部
１０４　蝶ボルト
２２０　軸部
２２１　基板
２２２　軸足部
２２３　足部
２２４　足置き部
２２５　足連結部
３０１　支柱本体
３０２　支柱伸縮部
３０２ａ　扁平部
３０３　凹部
３０４　ボルト
３０５　締付具
４０１　軸部
【図１】
2004000451.tif 000003
【図２】
2004000451.tif 000004
【図３】
2004000451.tif 000005
【図４】
2004000451.tif 000006
【図５】
2004000451.tif 000007
【図６】
2004000451.tif 000008
【図７】
2004000451.tif 000009
【図８】
2004000451.tif 000010
【図９】
2004000451.tif 000011
【図１０】
2004000451.tif 000012